(57)【要約】【課題】  複数の座席が配置されている所定の領域における各座席が空席状態となるまでの時間を、各座席を使用しようとする人を上記領域に行かせることなく予測してその人に報知する座席使用状況報知システムを提供する。【解決手段】  各座席Ｓが着席状態であるか否かを検知する座席状態検知部１２と、座席状態検知部１２によって着席状態であることが検知された座席Ｓの着席状態の開始時と所定の基準時間とに基づいて、座席Ｓが空席状態に変化する時を予測する空席時予測部１９と、現時点から空席時予測部１９によって予測された時までの時間を特定する空席到達時間特定部２０と、空席到達時間特定部２０によって特定された時間の情報を表示する表示装置４及び表示部６とを備える。【選択図】      図４
2005202522.tif 000002
【特許請求の範囲】
【請求項１】
複数の座席が配置されている所定の領域における各前記座席の使用状況を報知する座席使用状況報知システムであって、
各前記座席が着席状態であるか否かを検知する座席状態検知手段と、
前記座席状態検知手段によって着席状態であることが検知された前記座席の着席状態の開始時と所定の基準時間とに基づいて、前記座席が空席状態に変化する時を予測する空席時予測手段と、
現時点から前記空席時予測手段によって予測された時までの時間を特定する空席到達時間特定手段と、
前記空席到達時間特定手段によって特定された時間の情報を報知する報知手段と
を備えることを特徴とする座席使用状況報知システム。
【請求項２】
前記報知手段は、前記特定された時間の情報とともに、前記座席状態検知手段によって得られた検知結果を報知する
ことを特徴とする請求項１記載の座席使用状況報知システム。
【請求項３】
前記座席使用状況報知システムは、更に、
各前記座席に着席した人の性別を識別する性別識別手段を備え、
前記基準時間は性別に応じて異なり、
前記空席時予測手段は、前記性別識別手段によって識別された性別に応じた前記基準時間を用いて前記座席が空席状態に変化する時を予測する
ことを特徴とする請求項１又は２記載の座席使用状況報知システム。
【請求項４】
前記座席使用状況報知システムは、更に、
各前記座席に着席した人の年齢を識別する年齢識別手段を備え、
前記基準時間は年齢に応じて異なり、
前記空席時予測手段は、前記年齢識別手段によって識別された年齢に応じた前記基準時間を用いて前記座席が空席状態に変化する時を予測する
ことを特徴とする請求項１から３のいずれか１項に記載の座席使用状況報知システム。
【請求項５】
前記基準時間は、隣接する複数の前記座席が所定の判断時間内に空席状態から着席状態に変化するか否かに応じて異なり、
前記空席時予測手段は、隣接する複数の前記座席が前記判断時間内に空席状態から着席状態に変化したか否かに応じて異なる前記基準時間を用いて前記座席が空席状態に変化する時を予測する
ことを特徴とする請求項１から４のいずれか１項に記載の座席使用状況報知システム。
【請求項６】
前記隣接する複数の前記座席は、連続して隣接する複数の前記座席を含む
ことを特徴とする請求項５記載の座席使用状況報知システム。
【請求項７】
前記領域は食品を提供する食堂であって、
前記座席使用状況報知システムは、更に、
前記座席に着席した人が選択した食品の内容を検出する内容検出手段を備え、
前記基準時間は食品の内容に応じて異なり、
前記空席時予測手段は、前記内容検出手段によって検出された食品の内容に応じた前記基準時間を用いて前記座席が空席状態に変化する時を予測する
ことを特徴とする請求項１から６のいずれか１項に記載の座席使用状況報知システム。
【請求項８】
前記食品は定食である
ことを特徴とする請求項７記載の座席使用状況報知システム。
【請求項９】
前記内容検出手段は、
食品を収容する容器に取り付けられる、前記食品の内容が記録されているＩＣタグと、
前記ＩＣタグに記録されている食品の内容を読み取る内容読み取り部と
を有することを特徴とする請求項７又は８記載の座席使用状況報知システム。
【請求項１０】
前記領域は食品を提供する食堂であって、
前記座席使用状況報知システムは、更に、
前記座席に着席した人が選択した食品の重量を検出する重量検出手段を備え、
前記基準時間は食品の重量に応じて異なり、
前記空席時予測手段は、前記重量検出手段によって検出された食品の重量に応じた前記基準時間を用いて前記座席が空席状態に変化する時を予測する
ことを特徴とする請求項１から６のいずれか１項に記載の座席使用状況報知システム。
【請求項１１】
前記基準時間は前記座席毎に異なり、
前記空席時予測手段は、前記座席毎に異なる前記基準時間を用いて、前記座席が空席状態に変化する時を予測する
ことを特徴とする請求項１から１０のいずれか１項に記載の座席使用状況報知システム。
【請求項１２】
前記座席使用状況報知システムは、更に、
前記座席状態検知手段によって着席状態であることが検知された前記座席の着席状態が継続する時間を計測する着席時間計測手段と、
前記着席時間計測手段によって計測された時間に基づいて、前記基準時間を変更する基準時間変更手段とを備え、
前記空席時予測手段は、前記基準時間変更手段によって前記基準時間が変更された後は、前記開始時と変更された前記基準時間とに基づいて、前記座席が空席状態に変化する時を予測する
ことを特徴とする請求項１又は２記載の座席使用状況報知システム。
【請求項１３】
前記基準時間変更手段は、前記基準時間を、前記着席時間計測手段によって計測された過去の所定の個数の計測結果の平均に変更する
ことを特徴とする請求項１２記載の座席使用状況報知システム。
【請求項１４】
前記座席使用状況報知システムは、更に、
各前記座席に着席した人の性別を識別する性別識別手段を備え、
前記基準時間変更手段は、前記性別識別手段によって識別された性別に基づいて前記基準時間を変更し、
前記空席時予測手段は、前記基準時間が変更された後は、前記性別識別手段によって得られた識別結果に基づいて、性別に基づいて変更された前記基準時間を用いて前記座席が空席状態に変化する時を予測する
ことを特徴とする請求項１２又は１３記載の座席使用状況報知システム。
【請求項１５】
前記座席使用状況報知システムは、更に、
各前記座席に着席した人の年齢を識別する年齢識別手段を備え、
前記基準時間変更手段は、前記年齢識別手段によって識別された年齢に基づいて前記基準時間を変更し、
前記空席時予測手段は、前記基準時間が変更された後は、前記年齢識別手段によって得られた識別結果に基づいて、年齢に基づいて変更された前記基準時間を用いて前記座席が空席状態に変化する時を予測する
ことを特徴とする請求項１２から１４のいずれか１項に記載の座席使用状況報知システム。
【請求項１６】
前記空席時予測手段は、隣接する複数の前記座席が所定の判断時間内に空席状態から着席状態に変化した場合を検知し、
前記基準時間変更手段は、前記空席時予測手段によって検知された、隣接する複数の前記座席が前記判断時間内に空席状態から着席状態に変化したか否かに応じて前記基準時間を変更し、
前記空席時予測手段は、前記基準時間が変更された後は、前記空席時予測手段によって検知された検知結果に基づいて、隣接する複数の前記座席が前記判断時間内に空席状態から着席状態に変化したか否かに応じて変更された前記基準時間を用いて前記座席が空席状態に変化する時を予測する
ことを特徴とする請求項１２から１５のいずれか１項に記載の座席使用状況報知システム。
【請求項１７】
前記隣接する複数の前記座席は、連続して隣接する複数の前記座席を含む
ことを特徴とする請求項１６記載の座席使用状況報知システム。
【請求項１８】
前記領域は食品を提供する食堂であって、
前記座席使用状況報知システムは、更に、
前記座席に着席した人が選択した食品の内容を検出する内容検出手段を備え、
前記基準時間変更手段は、前記内容検出手段によって検出された食品の内容に基づいて前記基準時間を変更し、
前記空席時予測手段は、前記基準時間が変更された後は、前記内容検出手段によって得られた検出結果に基づいて、食品の内容に基づいて変更された前記基準時間を用いて前記座席が空席状態に変化する時を予測する
ことを特徴とする請求項１２から１７のいずれか１項に記載の座席使用状況報知システム。
【請求項１９】
前記食品は定食である
ことを特徴とする請求項１８記載の座席使用状況報知システム。
【請求項２０】
前記内容検出手段は、
食品を収容する容器に取り付けられている、前記食品の内容が記録されているＩＣタグと、
前記ＩＣタグに記録されている食品の内容を読み取る内容読み取り部と
を有することを特徴とする請求項１８又は１９記載の座席使用状況報知システム。
【請求項２１】
前記領域は食品を提供する食堂であって、
前記座席使用状況報知システムは、更に、
前記座席に着席した人が選択した食品の重量を検出する重量検出手段を備え、
前記基準時間変更手段は、前記重量検出手段によって検出された食品の重量に基づいて前記基準時間を変更し、
前記空席時予測手段は、前記基準時間が変更された後は、前記重量検出手段によって得られた検出結果に基づいて、食品の重量に基づいて変更された前記基準時間を用いて、前記座席が空席状態に変化する時を予測する
ことを特徴とする請求項１２から１７のいずれか１項に記載の座席使用状況報知システム。
【請求項２２】
前記基準時間変更手段は前記座席毎に前記基準時間を変更し、
前記空席時予測手段は、前記基準時間が変更された後は、前記座席毎に異なる前記基準時間を用いて前記座席が空席状態に変化する時を予測する
ことを特徴とする請求項１２から２１のいずれか１項に記載の座席使用状況報知システム。
【請求項２３】
前記報知手段は、前記空席到達時間特定手段によって特定された時間の長さに応じて、前記特定された時間の長さの情報の報知方法を変える
ことを特徴とする請求項１から２２のいずれか１項に記載の座席使用状況報知システム。
【請求項２４】
前記報知手段は、前記空席到達時間特定手段によって特定された時間の長さの情報を、前記特定された時間の長さに応じた所定の色を用いて報知する
ことを特徴とする請求項２３記載の座席使用状況報知システム。
【請求項２５】
前記座席使用状況報知システムは、更に、
前記空席到達時間特定手段によって特定された時間が警告すべきと判断する時までの時間としての警告判断時間に達した時に警告する警告手段を備える
ことを特徴とする請求項１から２４のいずれか１項に記載の座席使用状況報知システム。
【請求項２６】
複数の座席が配置されている所定の領域における各前記座席の使用状況を報知する座席使用状況報知方法であって、
各前記座席が着席状態であるか否かを検知する座席状態検知ステップと、
前記座席状態検知ステップにおいて着席状態であることを検知した前記座席の着席状態の開始時と所定の基準時間とに基づいて、前記座席が空席状態に変化する時を予測する空席時予測ステップと、
現時点から前記空席時予測ステップにおいて予測した時までの時間を特定する空席到達時間特定ステップと、
前記空席到達時間特定ステップにおいて特定した時間の情報を報知する報知ステップと
を含むことを特徴とする座席使用状況報知方法。
【請求項２７】
複数の座席が配置されている所定の領域における各前記座席の使用状況を報知するためのプログラムであって、
各前記座席が着席状態であるか否かを検知する座席状態検知ステップと、
前記座席状態検知ステップにおいて着席状態であることを検知した前記座席の着席状態の開始時と所定の基準時間とに基づいて、前記座席が空席状態に変化する時を予測する空席時予測ステップと、
現時点から前記空席時予測ステップにおいて予測した時までの時間を特定する空席到達時間特定ステップと、
前記空席到達時間特定ステップにおいて特定した時間の情報を報知する報知ステップと
をコンピュータに実行させるためのプログラム。
【発明の詳細な説明】
【技術分野】
【０００１】
本発明は、例えば社員食堂等の所定の領域における座席の使用状況を報知する座席使用状況報知システム及び方法に関するものである。
【背景技術】
【０００２】
従来、多数の社員を有する企業は社員食堂を備えていることが多く、その場合、各社員は所定の昼食時間にその社員食堂で食事をする。通常、社員食堂に配置されている座席の数は社員数より少ないので、多数の社員が同時に社員食堂で食事することはできない。そのため、各社員は、実際に社員食堂に行って混雑状況を把握した上で、空いている座席があれば社員食堂で食事をするが、社員食堂が混雑していて空いている座席がなければ、混雑が解消するまで食事をするのを社員食堂周辺で待つ。又は、各社員は、自分が業務する際の座席等で待機し、しばらく時間が経過した後、改めて社員食堂に行って混雑状況を把握し、混雑が解消していれば、社員食堂で食事をする。このように、従来、各社員は実際に社員食堂に行って混雑状況を把握しなければならず、また、社員食堂において空席ができるまでの時間を知ることができない。
【０００３】
このような混雑状況に関連する技術として、駐車場における入庫状況を表示する方法が開示されている（例えば、特許文献１参照）。その特許文献１に記載された駐車場案内方法では、実際に駐車場で駐車している車の数と、駐車場外で入庫待ちしている車の数とに基づいて、駐車場内外の混雑状況を総合した混雑度を入庫待ちしている車の運転手に向けて表示する。これにより、入庫待ちしている車の運転手は、入庫待ち時間を知ることができる。
【特許文献１】特開２００３−２５６９９４号公報
【発明の開示】
【発明が解決しようとする課題】
【０００４】
しかしながら、上記特許文献１に記載の駐車場案内方法における混雑状況を表示する方法を、社員食堂における混雑状況を表示する場合に適用すると、実際に座席に座っている人の数と、社員食堂外で空席待ちをしている人の数とに基づいて、空席待ちをしている人に待ち時間を表示することになるので、待ち時間を知るためには、各社員は社員食堂に行かなければならない。いいかえると、社員食堂に行った社員しか、待ち時間を知ることができない。各社員は、社員食堂に行くことなく、社員食堂の混雑状況を把握したいと考える。そのため、各社員を社員食堂に行かせることなく、各社員に社員食堂の混雑状況を報知しようとする場合には、上記特許文献１に記載の混雑状況を表示する方法を、社員食堂における混雑状況を表示する場合に適用することはできない。結局、各社員は社員食堂に行かずには、社員食堂において空席ができるまでの時間を知ることができないので、予め決められている昼食時間を有効に活用することができない。
【０００５】
本発明は、上記課題を考慮し、複数の座席が配置されている所定の領域における各座席が空席状態となるまでの時間を、各座席を使用しようとする人を上記領域に行かせることなく予測してその人に報知する座席使用状況報知システムを提供することを目的とする。
【課題を解決するための手段】
【０００６】
上記課題を解決するために、本発明の座席使用状況報知システムは、複数の座席が配置されている所定の領域における各前記座席の使用状況を報知するシステムであって、各前記座席が着席状態であるか否かを検知する座席状態検知手段と、前記座席状態検知手段によって着席状態であることが検知された前記座席の着席状態の開始時と所定の基準時間とに基づいて、前記座席が空席状態に変化する時を予測する空席時予測手段と、現時点から前記空席時予測手段によって予測された時までの時間を特定する空席到達時間特定手段と、前記空席到達時間特定手段によって特定された時間の情報を報知する報知手段とを備えることを特徴とする。
【０００７】
これにより、複数の座席が配置されている所定の領域における各座席が空席状態となるまでの時間が、各座席を使用しようとする人を実際に上記領域に行かせることなく予測され報知されるので、その人は上記領域に行くことなく上記領域における各座席が空席状態となるまでの時間を知ることができる。
また、本発明は、本発明の座席使用状況報知システムの特徴的な構成手段をステップとする座席使用状況報知方法として実現したり、それらのステップを含むプログラムとして実現することもできる。そして、そのプログラムは、ＣＤ−ＲＯＭ等の記録媒体や通信ネットワーク等の伝送媒体を介して流通させることもできる。
【発明の効果】
【０００８】
本発明は、複数の座席が配置されている所定の領域における各座席が空席状態となるまでの時間を、各座席を使用しようとする人を上記領域に行かせることなく予測してその人に報知する座席使用状況報知システムを提供することができる。
【発明を実施するための最良の形態】
【０００９】
以下に、本発明を実施するための最良の形態について、図面を参照して説明する。
（実施の形態１）
先ず、本発明の実施の形態１の座席使用状況報知システムの構成を、図１〜図７を用いて説明する。
実施の形態１の座席使用状況報知システムは、所定の領域に配置されている複数の座席それぞれの使用状況を報知するシステムである。実施の形態１では、説明の便宜上、上記所定の領域が所定の企業が入居している複数の階を有する建物の所定の階に設けられている社員食堂であって、座席使用状況報知システムが就業日におけるその社員食堂に配置されている各座席の使用状況を報知するという場面を想定する。また、上記企業には多数の社員が属しており、各社員は、上記建物の社員食堂が設けられていない各階で業務を行ない、正午から午後１時（１２：００〜１３：００）の昼食時間内に上記社員食堂において昼食を取ると仮定する。
【００１０】
図１は上記建物の所定の階に設けられている社員食堂Ｒの平面図であって、図１に示すように、実施の形態１の社員食堂Ｒには、６個のテーブルＴm（ｍ＝１〜６）が所定の位置に配置されており、各テーブルＴmの周囲には６個の座席Ｓが所定の位置に配置されていて、各座席Ｓには固有の識別番号ｎ（ｎ＝１〜３６）が付されている。また、図１に示すように、社員食堂Ｒには、出入口Ｇ、食品提供テーブルＦ、精算所Ａ、及び食器返却所Ｅが設けられており、社員食堂Ｒで食事をする社員は、社員食堂Ｒ外から出入口Ｇを通って社員食堂Ｒ内に入り、食品提供テーブルＦで提供されている複数の食品の中から欲する食品を選択してトレーに載せ、精算所Ａで選択した食品にかかる料金を支払った後、空いている座席Ｓに座って食事し、それを終えるとトレー及び食器を食器返却所Ｅへ返却し、出入口Ｇを通って社員食堂Ｒ外に出る。
【００１１】
図２は社員食堂Ｒの各位置に配置されている座席Ｓの外観図であって、図２に示すように、座席Ｓは、人が実際に座る座部Ｓｐと、座部Ｓｐを支持する４本の脚Ｓｌと、人が座部Ｓｐに座ったときに背もたれに用いる背もたれ部Ｓｂとで構成されている。また、座部Ｓｐには人が座ったときにそれによる圧力を感知する圧力センサ１が設けられており、背もたれ部Ｓｂの後ろ側には、圧力センサ１と接続されていて、圧力センサ１による感知結果を所定の時間間隔で後述する空席予測装置３へ無線により送信する通信装置２が設けられている。なお、上記所定の時間間隔は例えば１０秒間隔である。また、各圧力センサ１及び各通信装置２にも、それらが設けられている座席Ｓに付されている識別番号ｎと同一の識別番号ｎが付されている。
【００１２】
図３は実施の形態１の座席使用状況報知システムのハードウェア構成図である。実施の形態１の座席使用状況報知システムは、上述したとおり社員食堂Ｒに配置されている各座席Ｓn（ｎ＝１〜３６）の使用状況を報知するシステムであって、図３に示すように、各座席Ｓnに設けられている各圧力センサ１nと、各圧力センサ１nによる感知結果を所定の時間間隔で空席予測装置３へ無線により送信する各通信装置２nとを備える。また、実施の形態１の座席使用状況報知システムは、各圧力センサ１nによる感知結果に基づいて、各座席Ｓnについて着席状態であるのか又は空席状態であるのかを検知し、着席状態の座席Ｓnが空席状態に変化するまでの時間を予測する空席予測装置３を備える。また、実施の形態１の座席使用状況報知システムは、上記建物の各階の所定の位置に設けられていて、空席予測装置３によって予測された時間の情報を表示する表示装置４を備える。表示装置４は、社員食堂Ｒが設けられている階においては社員食堂Ｒの出入口Ｇの上方に設けられ、社員食堂Ｒが設けられていない各階においては、その階で業務する全社員が容易に視認できる位置である業務室の中央部の上方に設けられている。更に、実施の形態１の座席使用状況報知システムは、各社員の机上又は机周辺に配置されている複数のコンピュータ５と、各机上に配置されているとともに、対応するコンピュータ５と接続されており、空席予測装置３によって予測された時間の情報を表示する複数の表示部６とを備える。なお、表示装置４及び表示部６は報知部の一例である。更に、実施の形態１の座席使用状況報知システムは、各通信装置２n、空席予測装置３、表示装置４、及び各コンピュータ５それぞれを接続するネットワーク７を備える。加えて、実施の形態１の座席使用状況報知システムは、各座席Ｓnと対向する各テーブルＴmの側面の各部位に設けられている複数の警告部８n（ｎ＝１〜３６）を備える。各警告部８nは、対応する通信装置２nと無線により接続されており、対応する通信装置２nから警告情報を受信した場合に対応する座席Ｓn側に警告音を発する。なお、空席予測装置３は、着席状態であることを検知した座席Ｓnの着席状態が継続する時間が所定の警告判断時間に達した場合に、警告情報を対応する通信装置２nへ無線により送信する機能を有しており、各通信装置２nは、警告情報を空席予測装置３から受信した場合にそれを対応する警告部８nへ無線により送信する機能を有している。
【００１３】
図４は実施の形態１の座席使用状況報知システムのブロック構成図である。実施の形態１の座席使用状況報知システムの概略構成は上述したとおりであるので、以下では空席予測装置３、表示装置４、コンピュータ５、及び表示部６の構成を説明する。
空席予測装置３は、上述したとおり、社員食堂Ｒに配置されている各座席Ｓnについて着席状態であるか否かを検知するとともに、着席状態の座席Ｓnが空席状態に変化するまでの時間を予測する装置であって、図４に示すように、所定の時間間隔で各通信装置２nから送信されてくる各圧力センサ１nによる感知結果を受信する第１通信部１１を備える。また、空席予測装置３は、第１通信部１１によって受信された各圧力センサ１nによる感知結果に基づいて、座席Ｓn毎に、着席状態であるのか又は空席状態であるのかを検知する座席状態検知部１２と、座席Ｓn毎に、座席状態検知部１２による検知結果に基づいて着席状態の開始時（着席時）及び終了時（離席時）を特定する状態変化時特定部１３とを備える。
【００１４】
また、空席予測装置３は、座席Ｓn毎に、座席状態検知部１２による検知結果に基づいて着席状態が継続する時間を計測する着席時間計測部１４と、着席時間計測部１４による計測結果等を記憶するための計測結果記憶部１５と、状態変化時特定部１３による特定結果、及び、着席時間計測部１４による計測結果を座席Ｓn毎に計測結果記憶部１５に書き込む書き込み部１６とを備える。また、空席予測装置３は、着席状態が継続すると予測される予測着席継続時間としての基準時間を予め記憶する基準時間記憶部１７と、計測結果記憶部１５に記憶されていて着席時間計測部１４によって最終的に得られた計測結果（後述する在席時間）の個数が所定の個数に達した場合、基準時間記憶部１７に記憶されている基準時間を、計測結果記憶部１５に記憶されている全部の上記計測結果（在席時間）の平均に変更する基準時間変更部１８とを備える。なお、実施の形態１では説明の簡単化のために、基準時間記憶部１７に予め記憶されている所定の基準時間は１５分であると仮定する。また、上記所定の個数は例えば１００個である。
【００１５】
また、空席予測装置３は、座席Ｓn毎に、状態変化時特定部１３によって特定された着席状態の開始時（着席時）に、基準時間記憶部１７に記憶されている基準時間を加算することにより、着席状態から空席状態に変化する時（着席状態の終了時，離席時）を予測する空席時予測部１９と、座席Ｓn毎に、上記所定の時間間隔で各現時点から空席時予測部１９によって予測された時（離席時）までの時間を特定する空席到達時間特定部２０とを備える。また、空席予測装置３は、例えば下記（表１）に示されるような、着席状態である座席Ｓが空席状態に変化すると予測される時（離席時）までの各時間とそれらに対応する各色との対応関係と、空席状態とそれに対応する色との対応関係と、を記憶する時間色対応関係記憶部２１を備える。
【００１６】
【表１】
2005202522.tif 000003
表１は、空席予測装置３の時間色対応関係記憶部２１に記憶されている対応関係の一例を示している。実施の形態１では説明の簡単化のために、着席状態である座席Ｓが空席状態に変化すると予測される時（離席時）までの時間が８分以上のときはその時間は赤色と、２分以上でかつ８分を下回るときは黄色と、２分を下回るときは青色と、空席状態のときは無色と、それぞれ対応付けられている。
【００１７】
更に、空席予測装置３は、図４に示すように、座席Ｓn毎に、時間色対応関係記憶部２１に記憶されている対応関係に基づいて、空席到達時間特定部２０によって特定された時間又は空席状態に対応する色を選択する選択部２２と、座席Ｓn毎に選択部２２によって選択された色の情報を、空席到達時間特定部２０によって特定された時間の情報として表示装置４及びコンピュータ５に送信する第２通信部２３とを備える。
【００１８】
加えて、空席予測装置３は、全座席Ｓnについて、着席状態の開始時（着席時）を起点とした場合の上記警告情報を送信すべきと判断する時までの時間としての警告判断時間を記憶する警告時間記憶部２４と、座席Ｓn毎に、着席時間計測部１４によって計測された着席状態が継続する時間が警告時間記憶部２４に記憶されている警告判断時間に達しているか否かを判断する警告判断部２５を備える。なお、第２通信部２３は、座席Ｓn毎に、着席状態が継続する時間が警告判断時間に達していると警告判断部２５によって判断された場合に、上記警告情報を対応する通信装置２nへ無線により送信する。
【００１９】
表示装置４は、図４に示すように、座席Ｓn毎の、空席予測装置３の選択部２２によって選択された色の情報（空席到達時間特定部２０によって特定された時間の情報）を空席予測装置３から受信する第１受信部４１と、図１に示す社員食堂Ｒの平面図を記憶する第１食堂図記憶部４２とを備える。また、表示装置４は、第１受信部４１によって受信された情報に基づく色を、第１食堂図記憶部４２に記憶されている社員食堂Ｒの対応する座席Ｓnに対応付ける第１対応部４３と、第１食堂図記憶部４２に記憶されている社員食堂Ｒの各座席Ｓnを第１対応部４３によって対応付けられた色により表示して、各座席Ｓnの使用状況を表示する表示部４４とを備える。
【００２０】
コンピュータ５は、図４に示すように、座席Ｓn毎の、空席予測装置３の選択部２２によって選択された色の情報（空席到達時間特定部２０によって特定された時間の情報）を空席予測装置３から受信する第２受信部５１と、図１に示す社員食堂Ｒの平面図を記憶する第２食堂図記憶部５２とを備える。また、コンピュータ５は、第２受信部５１によって受信された情報に基づく色を、第２食堂図記憶部５２に記憶されている社員食堂Ｒの対応する座席Ｓnに対応付ける第２対応部５３と、第２食堂図記憶部５２に記憶されている社員食堂Ｒの各座席Ｓnに第２対応部５３によって対応付けられた色を対応させた各座席Ｓnの使用状況を、空席予測装置３によって予測された時間の情報として表示部６に送信する送信部５４とを備える。なお、表示部６は、送信部５４からの情報に基づいて、各座席Ｓnの使用状況を表示する。
【００２１】
図５は、空席予測装置３の書き込み部１６によって計測結果記憶部１５に書き込まれる情報の一例を示す図である。計測結果記憶部１５には、図５に示すように、座席Ｓn毎に、状態変化時特定部１３によって特定された着席状態の開始時（着席時）と、着席時間計測部１４によって計測され時々刻々変化する着席状態が継続する時間（経過時間）と、状態変化時特定部１３によって特定された着席状態の終了時（離席時）と、着席時間計測部１４によって計測された最終的に着席状態が継続した時間（在席時間）とが書き込まれる。なお、経過時間は上述したように時々刻々と変化するものであり、在席時間は着席状態が終了する時（離席時）までは特定できないので、それまで（離席時まで）は在席時間の欄は空欄であって、着席状態が終了するとその時の経過時間と同じ時間が在席時間を記入する欄に書き込まれる。
【００２２】
計測結果記憶部１５に書き込まれる内容を、現時点が２００３年１２月１８日１２時３５分１５秒であると仮定して具体的に説明する。また、座席Ｓ1については、過去に２２０回の着席状態があり、現在は２２１回目の着席状態であると仮定する。その場合、計測結果記憶部１５には、図５に示すように、座席Ｓ1については、例えば、１回目の着席状態に関して、着席時として２００３年１１月４日１２時０２分１５秒が、経過時間として１３分５５秒が、離席時として２００３年１１月４日１２時１６分１０秒が、在席時間として１３分５５秒が、それぞれ書き込まれる。また、現在の２２１回目の着席状態に関しては、着席時として２００３年１２月１８日１２時２５分２１秒が、経過時間としてその着席時から現時点の２００３年１２月１８日１２時３５分１５秒までの９分５４秒が、それぞれ書き込まれ、現在着席状態であるので、離席時及び在席時間の欄は空欄状態となっている。
【００２３】
図６は、特定の日における正午から特定の時刻までの各座席Ｓnの使用状況を示す図であって、各座席Ｓnの使用状況を示す欄（図６における水平方向の各欄）の実線部及び破線部は着席状態であることを示している。また、実線部は太線部と細線部とに分けられ、着席状態である時間が７分以下までの区間は太線で表示され、７分を超え１３分以下までの区間は細線で表示される。また、１３分を超える区間は破線で表示される。したがって、基準時間記憶部１７に記憶されている基準時間が１５分であると仮定した場合、上記（表１）から明らかなように、着席状態である時間が７分以下までの区間は、その区間内の各時点から予測される着席状態の終了時（着席状態から空席状態に変化する時，離席時）までの時間が８分以上であるので、（表１）により、太実線で表示される区間における座席Ｓnに対応する色は赤色である。同様に、着席状態である時間が７分を超え１３分以下までの区間は、その区間内の各時点から予測される着席状態の終了時（離席時）までの時間が２分以上でかつ８分を下回るので、（表１）により、細実線で表示される区間における座席Ｓnに対応する色は黄色である。また同様に、着席状態である時間が１３分を超える区間は、その区間内の各時点から予測される着席状態の終了時（離席時）までの時間が２分を下回るので、（表１）により、破線で表示される区間における座席Ｓnに対応する色は青色である。また、図６における空欄状態は空席状態を示しているので、（表１）により、空欄で表示される区間における座席Ｓnに対応する色は無色である。
【００２４】
ここで、上記の特定の日時が２００３年１２月１８日１２時３５分１５秒であると仮定して、図６の内容を具体的に説明する。また、座席Ｓ1については、（１Ａ）１２時０２分１５秒から１２時１６分４５秒までと、（１Ｂ）１２時１７分３０秒から１２時３１分１５秒までと、（１Ｃ）１２時３２分１０秒以降上記特定の日時までとが着席状態であって、座席Ｓ2については、（２Ａ）１２時０３分２５秒から１２時１８分４５秒までと、（２Ｂ）１２時１９分３０秒から１２時３４分４０秒までとが着席状態であると仮定する。
【００２５】
この場合、図６に示すように、座席Ｓ1の使用状況を示す欄では、（１Ａ）１２時０２分１５秒から１２時０９分１５秒までの区間が太実線で、１２時０９分１５秒から１２時１５分１５秒までの区間が細実線で、１２時１５分１５秒から１２時１６分４５秒までの区間が破線で表示される。また、（１Ｂ）１２時１７分３０秒から１２時２４分３０秒までの区間が太実線で、１２時２４分３０秒から１２時３０分３０秒までの区間が細実線で、１２時３０分３０秒から１２時３１分１５秒までの区間が破線で表示される。また、（１Ｃ）１２時３２分１０秒から上記特定の日時までの区間が太実線で表示される。次に、座席Ｓ2の使用状況を示す欄では、（２Ａ）１２時０３分２５秒から１２時１０分２５秒までの区間が太実線で、１２時１０分２５秒から１２時１６分２５秒までの区間が細実線で、１２時１６分２５秒から１２時１８分４５秒までの区間が破線で表示される。また、（２Ｂ）１２時１９分３０秒から１２時２６分３０秒までの区間が太実線で、１２時２６分３０秒から１２時３２分３０秒までの区間が細実線で、１２時３２分３０秒から１２時３４分４０秒までの区間が破線で表示される。
【００２６】
図７は、表示装置４の表示部４４及びコンピュータ５に接続されている表示部６において表示される社員食堂Ｒの各座席Ｓnの使用状況の一例を示す図である。実施の形態１では説明の簡単化のために、表示装置４及び表示部６は、上記（表１）と同様に、着席状態から空席状態に変化すると予測される時までの時間が８分以上のときは赤色で、２分以上でかつ８分を下回るときは黄色で、２分を下回るときは青色で、空席状態のときは無色で、各座席Ｓnを表示し、これにより各座席Ｓnの使用状況を表示する。なお、実際の図７では、表現の都合上、赤色は黒色で、黄色は斜線で、青色は点々で、それぞれ表示される。
【００２７】
現在が上記２００３年１２月１８日１２時３５分１５秒であって、基準時間記憶部１７に記憶されている基準時間が１５分であると仮定し、図６の具体的な内容を例にとって図７を説明する。図６では、座席Ｓ1については、上記現在において、（１Ｃ）１２時３２分１０秒から着席状態が継続しており、その区間は太実線で表示されている。上述したように、太実線で表示される区間における座席Ｓnに対応する色は赤色である。したがって、図７では、座席Ｓ1は赤色（実際の図７では黒色）で表示される。また、座席Ｓ2については、上記現在において空席状態であり、空席状態は上述したように無色に対応しているので、図７では、座席Ｓ2は無色で表示される。
【００２８】
次に、本実施の形態１の座席使用状況報知システムの動作を、図８を用いて説明する。図８は本実施の形態１の座席使用状況報知システムの動作の流れを示すフローチャートである。
図８に示すように、社員食堂Ｒの各座席Ｓnに設けられている各圧力センサ１nは、人が座部Ｓｐに座ったときにそれによる圧力を感知し（Ｓ１）、各通信装置２nは対応する圧力センサ１nによる感知結果を空席予測装置３へ無線により送信する（Ｓ２）。具体的には、座席Ｓnに人が座っている場合、座席Ｓnに対応する通信装置２nは、座席Ｓnに人が座っていることを示す着席情報を感知結果として空席予測装置３へ送信し（Ｓ２）、座席Ｓnに人が座っていない場合、座席Ｓnに対応する通信装置２nは、座席Ｓnに人が座っていないことを示す空席情報を感知結果として空席予測装置３へ送信する（Ｓ２）。
【００２９】
空席予測装置３では、第１通信部１１が各通信装置２nからの各圧力センサ１nによる感知結果を受信し（Ｓ３）、座席状態検知部１２はその感知結果に基づいて、座席Ｓn毎に、着席状態であるのか又は空席状態であるのかを検知する（Ｓ４）。つまり、座席Ｓnについて第１通信部１１が感知結果としての着席情報を受信した場合、座席状態検知部１２は、座席Ｓnが着席状態であることを検知する（Ｓ４）。それに対して、座席Ｓnについて第１通信部１１が感知結果としての空席情報を受信した場合、座席状態検知部１２は、座席Ｓnが空席状態であることを検知する（Ｓ４）。
【００３０】
座席状態検知部１２によって着席状態であることが検知された座席Ｓnについては（Ｓ４でＹｅｓ）、状態変化時特定部１３は、座席状態検知部１２による前回の検知結果が着席状態であったのか又は空席状態であったのかを判断する（Ｓ５）。前回の検知結果が空席状態であった場合（Ｓ５でＹｅｓ）、状態変化時特定部１３は、座席状態検知部１２によって着席状態であることが検知された時（Ｓ４）が着席状態の開始時（着席時）であると特定する（Ｓ６）。空席時予測部１９は、その開始時（着席時）に基準時間記憶部１７に記憶されている基準時間を加算して、着席状態から空席状態に変化する時（着席状態の終了時，離席時）を予測する（Ｓ７）。そして、着席時間計測部１４は状態変化時特定部１３によって特定された着席状態の開始時（着席時）から着席状態が継続する時間（経過時間）を計測し始め（Ｓ８）、書き込み部１６はその開始時（着席時）及び経過時間を計測結果記憶部１５の所定の格納場所に書き込む（Ｓ９）。それに対して、前回の検知結果が着席状態であった場合（Ｓ５でＮｏ）、着席時間計測部１４は着席状態が継続する時間（経過時間）を計測し続け（Ｓ８）、書き込み部１６は、計測結果記憶部１５の経過時間を書き込むための所定の格納場所に既に書き込まれている値を、着席時間計測部１４によって計測された経過時間に書き換える（Ｓ９）。このように、着席時間計測部１４によって着席状態が継続する時間（経過時間）が計測されると（Ｓ８）、空席到達時間特定部２０は、現時点から空席時予測部１９によって予測された時までの時間を特定する（Ｓ１０）。
【００３１】
他方、座席状態検知部１２によって空席状態であることが検知された座席Ｓnについては（Ｓ４でＮｏ）、状態変化時特定部１３は、座席状態検知部１２による前回の検知結果が着席状態であったのか又は空席状態であったのかを判断する（Ｓ１１）。前回の検知結果が着席状態であった場合（Ｓ１１でＹｅｓ）、状態変化時特定部１３は、前回の着席状態であったことが検知された時が着席状態の終了時（離席時）であると特定し、着席時間計測部１４は、着席状態が継続する時間（経過時間）の計測を終了して、着席状態の開始時（着席時）から終了時（離席時）までの時間（在席時間）を特定する（Ｓ１２）。書き込み部１６は、経過時間、終了時（離席時）、及び在席時間を計測結果記憶部１５の所定の格納場所に書き込む（Ｓ１３）。そして、基準時間変更部１８は、計測結果記憶部１５に記憶されている在席時間の個数が所定の個数に達したか否かを判断し（Ｓ１４）、在席時間の個数が所定の個数に達している場合（Ｓ１４でＹｅｓ）、基準時間記憶部１７に記憶されている基準時間を、計測結果記憶部１５に記憶されている全部の在席時間の平均に変更する（Ｓ１５）。それに対して、在席時間の個数が所定の個数に達していない場合（Ｓ１４でＮｏ）、基準時間変更部１８は基準時間記憶部１７に記憶されている基準時間を変更しない（Ｓ１６）。
【００３２】
ところで、上述したように空席到達時間特定部２０が各現時点から空席時予測部１９によって予測された時までの時間を特定した場合と（Ｓ１０）、今回の座席状態検知部１２による検知結果が空席状態である場合（Ｓ１１でＮｏ、Ｓ１５、Ｓ１６）に、選択部２２は、時間色対応関係記憶部２１に記憶されている対応関係に基づいて、空席到達時間特定部２０によって特定された時間又は空席状態に対応する色を選択する（Ｓ１７）。実施の形態１では上記対応関係は上記（表１）により示されるので、選択部２２は、（表１）に基づいて、空席到達時間特定部２０によって特定された時間が８分以上のときは赤色を、２分以上でかつ８分を下回るときは黄色を、２分を下回るときは青色を、空席状態のときは無色を、選択する（Ｓ１７）。
【００３３】
そして、第２通信部２３は、座席Ｓn毎の選択部２２によって選択された色の情報を空席到達時間特定部２０によって特定された時間の情報として表示装置４及びコンピュータ５に送信する（Ｓ１８）。
表示装置４では、第１受信部４１が、座席Ｓn毎の選択部２２によって選択された色の情報（空席到達時間特定部２０によって特定された時間の情報）を空席予測装置３から受信し、第１対応部４３は、第１受信部４１によって受信された情報に基づく色を、第１食堂図記憶部４２に記憶されている社員食堂Ｒの対応する座席Ｓnに対応付ける。表示部４４は、第１食堂図記憶部４２に記憶されている社員食堂Ｒの各座席Ｓnを、第１対応部４３によって対応付けられた色により表示して、図７に示すように、各座席Ｓnの使用状況を表示する（Ｓ１９）。
【００３４】
また、コンピュータ５では、第２受信部５１が、座席Ｓn毎の選択部２２によって選択された色の情報（空席到達時間特定部２０によって特定された時間の情報）を空席予測装置３から受信し、第２対応部５３は、第２受信部５１によって受信された情報に基づく色を、第２食堂図記憶部５２に記憶されている社員食堂Ｒの対応する座席Ｓnに対応付ける。送信部５４は、第２食堂図記憶部５２に記憶されている社員食堂Ｒの各座席Ｓnの色を第２対応部５３によって対応付けられた色に変化させた各座席Ｓnの使用状況を特定する情報を、空席予測装置３によって予測された時間の情報として表示部６に送信する。そして、表示部６は、コンピュータ５からの空席予測装置３によって予測された時間の情報に基づいて、図７に示すように、各座席Ｓnの使用状況を表示する（Ｓ１９）。
【００３５】
上述したように、実施の形態１の座席使用状況報知システムは、社員食堂Ｒにおける各座席Ｓnを使用しようとする各社員を社員食堂Ｒに実際に行かせることなく、各座席Ｓnが空席状態となるまでの時間を予測して表示する。これにより、座席Ｓnを使用しようとする各社員は、社員食堂Ｒに行かずに、表示装置４又は表示部６によって表示される各座席Ｓnの使用状況を見ていさえすれば各座席Ｓnが空席状態となるまでの時間を知ることができ、限られた昼食時間を有効に活用することができる。
【００３６】
ところで、空席予測装置３の着席時間計測部１４によって着席状態が継続する時間（経過時間）が計測されると（Ｓ８）、空席予測装置３の警告判断部２５は、座席Ｓn毎に、経過時間が警告時間記憶部２４に記憶されている警告判断時間に達しているか否かを判断する（Ｓ２０）。経過時間が警告判断時間に達している場合（Ｓ２０でＹｅｓ）、第２通信部２３は警告情報を対応する通信装置２nへ無線により送信する。通信装置２nは対応する警告部８nへ警告情報を無線により送信し、警告部８nは警告情報を受信した後、その警告情報に基づいて対応する座席Ｓn側に警告音を発する（Ｓ２１）。他方、経過時間が警告判断時間に達していない場合（Ｓ２０でＮｏ）、第２通信部２３は警告情報を送信することはなく、警告部８nから警告音は発せられない（Ｓ２２）。
【００３７】
このように、実施の形態１の座席使用状況報知システムは、座席Ｓnについての着席状態が継続する時間（経過時間）が警告判断時間に達している場合に座席Ｓnに座っている人に対して警告音を発するので、その人に対して、空席待ちをしている人がいるので席を立つように促すことができる。これにより、各座席Ｓnは有効に活用される。
実施の形態１の座席使用状況報知システムは、上述した動作を、所定の時間間隔で繰り返すことにより、その時間間隔で、社員食堂Ｒの使用状況を報知し、また、警告判断を行なう。
【００３８】
なお、上述した実施の形態１では、基準時間記憶部１７に予め記憶されている所定の基準時間は、座席Ｓに座る人の性別や年齢等にかかわらず同一である場合を想定した。しかしながら、上記所定の基準時間は、座席Ｓに座る人の性別によって異なっていてもよい。例えば、上記所定の基準時間は、座席Ｓに座る人が男性であれば１４分であり、女性であれば１６分であってもよい。この場合、座席使用状況報知システムは、各座席Ｓnに座る人の性別を識別し、識別結果に応じた基準時間を用いて着席状態から空席状態に変化する時（着席状態の終了時，離席時）を予測する。
【００３９】
図９に、この場合の座席使用状況報知システムにおける、各座席Ｓnに座る人の性別を識別するための性別識別部の構成を示す。座席使用状況報知システムは、図９に示す性別識別部として非接触ＩＣカード９と読み取り装置１０とを備える。非接触ＩＣカード９は、座席Ｓnに座る人に所持され、その人の性別が予め記憶されているカードである。読み取り装置１０は、各テーブルＴm上の各座席Ｓnに対応する所定の位置に設けられ、非接触ＩＣカード９が所定の距離範囲内に接近してきたときに、微弱電波により非接触ＩＣカード９に記憶されている内容を読み取る装置であって、図９に示すように、非接触ＩＣカード９に記憶されている内容を読み取る読み取り部９１と、読み取り部９１によって読み取られた内容を対応する通信装置２nへ無線により送信する送信部９２とで構成される。
【００４０】
このような非接触ＩＣカード９及び読み取り装置１０nを備える座席使用状況報知システムにおいて、座席Ｓnに座る人は、自分の性別が予め記憶されている非接触ＩＣカード９を所持して社員食堂Ｒ内へ入り、欲する食品を選択して空いている座席Ｓnに座る。座席Ｓnに座る人は、その座席Ｓnへの着席開始時（着席時）に、所持している非接触ＩＣカード９をその座席Ｓnに対応する読み取り装置１０nの読み取り部９１に対して所定の距離範囲内まで近づける。これにより、読み取り部９１は、非接触ＩＣカード９に記憶されている内容（非接触ＩＣカード９を所持している人の性別）を読み取り、送信部９２は、読み取り部９１によって読み取られた内容を対応する通信装置２nへ無線により送信する。通信装置２nは、非接触ＩＣカード９に記憶されていた内容を受信し、その内容を空席予測装置３へ送信する。
【００４１】
空席予測装置３では、空席時予測部１９が、非接触ＩＣカード９に記憶されていた内容に基づいて、着席状態の開始時（着席時）に、基準時間記憶部１７に記憶されている、その内容に対応する基準時間を加算することにより、着席状態から空席状態に変化する時（着席状態の終了時，離席時）を予測する。具体的には、座席Ｓnに座る人が女性であって、非接触ＩＣカード９に女性を示す内容が記憶されている場合、空席時予測部１９は、着席状態の開始時（着席時）に、基準時間記憶部１７に記憶されている女性に対応する基準時間を加算して、着席状態から空席状態に変化する時（着席状態の終了時，離席時）を予測する。そして、空席到達時間特定部２０は、空席時予測部１９によって予測された時までの時間を特定する。
【００４２】
男性についての基準時間と女性についての基準時間とが相違する場合の具体例を図１０及び図１１を用いて説明する。図１０は、座席Ｓ1に男性が座り、座席Ｓ2に女性が座っている状態を示す図である。図１１は、図１０に示すように座席Ｓ1，座席Ｓ2に男性と女性とが座っている場合に、表示装置４及び表示部６によって表示される座席Ｓ1及び座席Ｓ2の使用状況の一例を示す図である。ここで、男性についての基準時間が１４分であり、女性についての基準時間が１６分であって、図１０に示すように、座席Ｓ1に男性が座り、その男性の着席時と同じ時刻に座席Ｓ2に女性が座った場合を想定する。その場合、着席時から１３分経過した時点では、座席Ｓ1が空席状態となるまでの予測時間が１分であるのに対し、座席Ｓ2が空席状態となるまでの予測時間は３分である。上記（表１）に示すように、空席状態に変化すると予測される時（離席時）までの時間が２分以上でかつ８分を下回るときは黄色と、２分を下回るときは青色と、それぞれ対応付けられていると仮定すると、上記着席時から１３分経過した時点では、表示装置４及び表示部６は、図１１に示すように、座席Ｓ1を青色（実際には点々）で、座席Ｓ2を黄色（実際には斜線）でそれぞれ表示して、座席Ｓ1及び座席Ｓ2の使用状況を表示する。
【００４３】
また、書き込み部１６は、非接触ＩＣカード９に記憶されていた内容をも計測結果記憶部１５の性別格納場所に書き込む。図１２に、書き込み部１６によって計測結果記憶部１５に書き込まれる、非接触ＩＣカード９に記憶されていた性別をも含む情報の一例を示す。計測結果記憶部１５には、図１２に示すように、座席Ｓn毎に、着席時と、経過時間と、離席時と、在席時間とともに、性別が書き込まれる。そして、基準時間変更部１８は、性別毎に、計測結果記憶部１５に記憶されている在席時間が所定の個数に達したか否かを判断し、達している場合に、性別毎の基準時間を、対応する性別の全部の在席時間の平均に変更する。なお、基準時間記憶部１７に予め記憶されている所定の基準時間は性別にかかわらず同一であって、性別毎に、計測結果記憶部１５に記憶されている在席時間が所定の個数に達した場合に、基準時間変更部１８は、在席時間を性別毎に分類し、性別毎の基準時間を対応する性別の全部の在席時間の平均に変更してもよい。
【００４４】
このように、基準時間を性別によって異ならせると、性別に応じて着席状態から空席状態に変化する時（離席時）までを予測する精度が向上する。
また、基準時間記憶部１７に予め記憶されている所定の基準時間は、性別によって異なるのではなく、年齢によって異なってもよい。例えば、座席Ｓに座る人が２５才であれば１３分であり、５０才であれば２０分であってもよい。この場合、座席使用状況報知システムは、各座席Ｓnに座る人の年齢を識別し、識別結果に応じた基準時間を用いて、着席状態から空席状態に変化する時（着席状態の終了時，離席時）を予測する。したがって、この場合の座席使用状況報知システムは年齢識別部を備えており、年齢識別部として上述した非接触ＩＣカード９と読み取り装置１０とを用いる。非接触ＩＣカード９は、座席Ｓnに座る人の年齢が予め記憶されている。このような非接触ＩＣカード９及び読み取り装置１０を備える座席使用状況報知システムは、上述した年齢を識別する際の動作と同様に動作し、座席Ｓnに座った人の年齢に基づいて、その座席Ｓnが空席状態に変化する時（着席状態の終了時，離席時）を予測し、その時までの時間を特定して、各座席Ｓnの使用状況を表示する。また、座席使用状況報知システムは、書き込み部１６により、非接触ＩＣカード９に記憶されていた年齢をも計測結果記憶部１５の年齢格納場所に書き込み、基準時間変更部１８により、年齢毎の基準時間を対応する性別の全部の在席時間の平均に変更する。なお、基準時間記憶部１７に予め記憶されている所定の基準時間は、年齢にかかわらず同一であって、基準時間変更部１８は、在席時間を年齢毎に分類し、年齢毎の基準時間を、対応する年齢の全部の在席時間の平均に変更してもよい。ここで、年齢は年代に置き換えられてもよい。
【００４５】
また、上記所定の基準時間は、性別と年齢との組み合わせに応じて異なってもよい。例えば、上記所定の基準時間は、座席Ｓに座る人が４０才の男性であれば１４分であり、２５才の女性であれば２０分であってもよい。この場合、座席使用状況報知システムは、上述した性別又は年齢を識別する際の動作と同様に動作し、各座席Ｓnに座る人の性別及び年齢を識別して、識別結果に応じた基準時間を用いて着席状態から空席状態に変化する時（着席状態の終了時，離席時）を予測し、その時までの時間を特定して、各座席Ｓnの使用状況を表示する。また、座席使用状況報知システムは、書き込み部１６により、非接触ＩＣカード９に記憶されていた性別及び年齢をも計測結果記憶部１５の対応する格納場所に書き込み、基準時間変更部１８により、性別と年齢の組み合わせ毎の基準時間を、対応する組み合わせに属する全部の在席時間の平均に変更する。なお、基準時間記憶部１７に予め記憶されている所定の基準時間は、性別及び年齢にかかわらず同一であって、基準時間変更部１８は、在席時間を性別と年齢の組み合わせ毎に分類し、組み合わせ毎の基準時間を対応する組み合わせに属する全部の在席時間の平均に変更してもよい。ここで、年齢は年代に置き換えられてもよい。
【００４６】
また、基準時間記憶部１７に予め記憶されている所定の基準時間は、座席Ｓnとそれに隣接する座席Ｓn+1（又は座席Ｓn-1）とに例えば５秒以内等の所定の時間差内に二人が座るか否かによって異なってもよい。また、上記所定の基準時間は、座席Ｓnとそれに連続して隣接する複数の座席Ｓとに例えば５秒以内等の所定の時間差内に複数人が座る場合の座る人数によって異なってもよい。例えば、一人が座席Ｓ2に座ってから３０秒経過後に別の一人が座席Ｓ3に座った場合の座席Ｓ2についての上記所定の基準時間は１３分であって、二人が座席Ｓ2と座席Ｓ3とに５秒以内にそれぞれ座った場合の座席Ｓ2についての上記所定の基準時間は１７分であってもよい。また、五人が連続して隣接する座席Ｓ1，座席Ｓ2，座席Ｓ3，座席Ｓ4，及び座席Ｓ5にそれぞれ５秒以内に座った場合、座席Ｓ2についての上記所定の基準時間は１９分であってもよい。
【００４７】
この場合、空席時予測部１９は、座席Ｓnについて空席状態に変化する時（着席状態の終了時，離席時）を予測する際、座席Ｓnについての着席時と、一個又は複数個の隣接する各座席Ｓについての着席時との時間差が所定の時間差内であるか否かを判断し、その判断結果に応じた基準時間を用いることにより、座席Ｓnが空席状態に変化する時（着席状態の終了時，離席時）を予測する。また、書き込み部１６は、座席Ｓnについて着席時や在席時間等を計測結果記憶部１５に書き込む際、隣接する一個又は複数個の座席Ｓの着席時が座席Ｓnの着席時と所定の時間差内であった場合に、その旨を示す情報と、隣接する座席Ｓの個数を計測結果記憶部１５に書き込む。基準時間変更部１８は、隣接する一個又は複数個の座席Ｓの着席時が座席Ｓnの着席時と所定の時間差内であったか否かと、隣接する座席Ｓの着席時が座席Ｓnの着席時と所定の時間差内であった場合の隣接する座席Ｓの個数との組み合わせ毎の基準時間を、対応する組み合わせに属する全部の在席時間の平均に変更する。なお、基準時間記憶部１７に予め記憶されている所定の基準時間は、上記組み合わせにかかわらず同一であって、基準時間変更部１８は、在席時間を上記組み合わせ毎に分類し、組み合わせ毎の基準時間を対応する組み合わせに属する全部の在席時間の平均に変更してもよい。
【００４８】
また、基準時間記憶部１７に予め記憶されている所定の基準時間は、座席Ｓに座る人が選択した食品の内容によって異なってもよい。例えば、座席Ｓに座る人が麺類を選択した場合であれば、上記所定の基準時間は１２分であり、丼類を選択した場合であれば１６分であってもよい。この場合、座席使用状況報知システムは、各座席Ｓnに座る人が選択した食品の内容を検出し、検出結果に応じた基準時間を用いて、着席状態から空席状態に変化する時（着席状態の終了時，離席時）を予測する。
【００４９】
図１３に、この場合の座席使用状況報知システムが備える、各座席Ｓnに座る人が選択した食品の内容を検出するための内容検出部の構成を示す。内容検出部は、図１３に示すように、食品提供テーブルＦにおいて提供されている食品を収容する容器８０に取り付けられていて、その食品の内容が記録されているＩＣタグ８１と、精算所Ａに設けられていて、ＩＣタグ８１に記録されている内容を読み取るとともに、その内容を非接触ＩＣカード９に記録する内容読み取り装置８２と、上述した非接触ＩＣカード９と、読み取り装置１０とで構成されている。内容読み取り装置８２は、図１３に示すように、ＩＣタグ８１が所定の距離範囲内に近づいてきたときに、微弱電波によりＩＣタグ８１に記録されている内容を読み取るタグ読み取り部８２１を有しているとともに、非接触ＩＣカード９が挿入され、実際に非接触ＩＣカード９が挿入されたときに、タグ読み取り部８２１によって読み取られた内容を非接触ＩＣカード９に記録する記録部８２２を有している。
【００５０】
このような内容検出部を備える座席使用状況報知システムにおいて、社員食堂Ｒで食事をする社員は、上記非接触ＩＣカード９を所持して社員食堂Ｒ内へ入り、欲する食品を選択し、精算所Ａで選択した食品にかかる料金を支払う。その際、上記社員は精算所Ａの精算担当者に非接触ＩＣカード９を渡し、精算担当者は、上記社員が選択した食品を収容している食器８０に取り付けられているＩＣタグ８１を、内容読み取り装置８２のタグ読み取り部８２１に所定の距離範囲内まで近づける。これにより、タグ読み取り部８２１はＩＣタグ８１に記録されている内容、すなわち上記社員が選択した食品の内容を読み取る。また、精算担当者は、上記社員から渡された非接触ＩＣカード９を内容読み取り装置８２の記録部８２２に挿入する。これにより、記録部８２２は、タグ読み取り部８２１に読み取られた内容、すなわち上記社員が選択した食品の内容を非接触ＩＣカード９に記録する。そして、上記社員は、精算所Ａで選択した食品にかかる料金を支払った後、空いている座席Ｓnに座る。座席Ｓnに座る上記社員は、座席Ｓnへの着席開始時（着席時）に、所持している非接触ＩＣカード９を座席Ｓnに対応する読み取り装置１０nの読み取り部９１に対して所定の距離範囲内まで近づける。これにより、読み取り部９１は、非接触ＩＣカード９に記録されている内容（非接触ＩＣカード９を所持している人が選択した食品の内容）を読み取り、送信部９２は、読み取り部９１によって読み取られた内容を対応する通信装置２nへ無線により送信する。通信装置２nは、非接触ＩＣカード９に記録されていた内容を受信し、その内容を空席予測装置３へ送信する。
【００５１】
空席予測装置３では、空席時予測部１９が、非接触ＩＣカード９に記録されていた内容に基づいて、着席状態の開始時（着席時）に、基準時間記憶部１７に記憶されている、その内容に対応する基準時間を加算することにより、着席状態から空席状態に変化する時（着席状態の終了時，離席時）を予測する。具体的には、座席Ｓnに座る人が選択した食品が麺類であって、非接触ＩＣカード９に麺類を示す内容が記録されている場合、空席時予測部１９は、着席状態の開始時（着席時）に、基準時間記憶部１７に記憶されている麺類に対応する基準時間を加算して着席状態から空席状態に変化する時（着席状態の終了時，離席時）を予測する。そして、空席到達時間特定部２０は、空席時予測部１９によって予測された時までの時間を特定する。
【００５２】
また、書き込み部１６は、非接触ＩＣカード９に記録されていた内容をも計測結果記憶部１５の食品内容格納場所に書き込む。そして、基準時間変更部１８は、食品の内容毎に、計測結果記憶部１５に記憶されている在席時間が所定の個数に達したか否かを判断し、達している場合に、食品の内容毎の基準時間を、対応する食品の内容の全部の在席時間の平均に変更する。なお、基準時間記憶部１７に予め記憶されている所定の基準時間は食品の内容にかかわらず同一であって、食品の内容毎に、計測結果記憶部１５に記憶されている在席時間が所定の個数に達した場合に、基準時間変更部１８は、在席時間を食品の内容毎に分類し、食品の内容毎の基準時間を対応する食品の内容の全部の在席時間の平均に変更してもよい。また、上記食品は定食であってもよい。
【００５３】
また、基準時間記憶部１７に予め記憶されている所定の基準時間は、座席Ｓに座る人が選択した食品の重量によって異なってもよい。例えば、座席Ｓに座る人がラーメンとチャーハンとを選択した場合であれば、上記所定の基準時間は１６分であり、ラーメンのみを選択した場合であれば１２分であってもよい。この場合、座席使用状況報知システムは、各座席Ｓnに座る人が選択した食品の重量を検出し、検出結果に応じた基準時間を用いて着席状態から空席状態に変化する時（着席状態の終了時，離席時）を予測する。したがって、この場合の座席使用状況報知システムは、食品の重量を検出する重量検出装置を備える。図１４に重量検出装置１００の構成を示す。重量検出装置１００は、図１４に示すように、精算所Ａに設けられていて、食品が載置される載置部１０１と、載置部１０１に載置された食品の重量を検出する重量検出部１０２とを有しているとともに、非接触ＩＣカード９が挿入され、実際に非接触ＩＣカード９が挿入されたときに、重量検出部１０２によって検出された食品の重量を非接触ＩＣカード９に記録する記録部１０３を有している。
【００５４】
このような重量検出装置１００を備える座席使用状況報知システムでは、社員食堂Ｒで食事をする社員は、自分の性別等が予め記憶されている非接触ＩＣカード９を所持して社員食堂Ｒ内へ入り、欲する食品を選択し、精算所Ａで選択した食品にかかる料金を支払う。その際、上記社員は精算所Ａの精算担当者に非接触ＩＣカード９を渡すとともに、選択した食品を重量検出装置１００の載置部１０１に載置する。精算担当者は、上記社員から渡された非接触ＩＣカード９を重量検出装置１００の記録部１０３に挿入する。これにより、重量検出部１０２は上記社員が選択した食品の重量を検出し、記録部１０３は重量検出部１０２によって検出された食品の重量を非接触ＩＣカード９に記録する。その後の座席使用状況報知システムの動作は、上述した基準時間が食品の内容によって異なる場合と同様であるので、説明を省略する。
【００５５】
また、基準時間記憶部１７に予め記憶されている所定の基準時間は座席Ｓn毎に異なっていてもよく、いいかえると座席Ｓnの配置場所によって異なっていてもよく、その場合、空席時予測部１９は、座席毎に異なる基準時間を用いて着席状態から空席状態に変化する時（着席状態の終了時，離席時）を予測する。また、基準時間変更部１８は、座席Ｓn毎に基準時間を変更してもよい。
【００５６】
また、基準時間記憶部１７に記憶されている基準時間は、上述した座席Ｓに座る人の性別、年齢、隣接する座席Ｓに所定の時間差内に人が座るか否か、食品の内容、食品の重量、座席Ｓの配置場所、の複数の組み合わせに応じて異なってもよい。また、基準時間変更部１８は、その複数の組み合わせに応じて基準時間を変更してもよい。これにより、着席状態から空席状態に変化する時（離席時）までの予測精度が向上する。
【００５７】
また、上述した実施の形態１では、各通信装置２nは、対応する圧力センサ１nによる感知結果を所定の時間間隔で空席予測装置３へ送信し、空席予測装置３では、第１通信部１１が各通信装置２nからの各圧力センサ１nによる感知結果を受信する。しかしながら、各通信装置２nは、対応する圧力センサ１nによる感知結果を能動的に空席予測装置３へ送信するのではなく、空席予測装置３の第１通信部１１が、所定の時間間隔で、各圧力センサ１nによる感知結果を送信するように要求する要求情報を各通信装置２nへ無線により送信した場合に、各通信装置２nは、要求情報を受信した後、その要求情報に基づいて対応する圧力センサ１nによる感知結果を空席予測装置３へ送信してもよい。
【００５８】
（実施の形態２）
次に、本発明の実施の形態２の座席使用状況報知システムを、図１５を用いて説明する。
上述した実施の形態１では、各通信装置２nは、対応する圧力センサ１nによる感知結果を所定の時間間隔で空席予測装置３へ送信するが、本実施の形態２では、各通信装置２nは、対応する圧力センサ１nによって、座部Ｓｐに人が座った時及び座部Ｓｐから人が離れた時が感知された場合にのみ、それぞれ着席情報及び空席情報を空席予測装置３へ無線により送信する。その点が実施の形態１と実施の形態２との相違点であるので、本実施の形態２では、その相違点を中心に説明する。
【００５９】
図１５は、本実施の形態２の座席使用状況報知システムの動作の流れを示すフローチャートである。
上述したように、各通信装置２nは、対応する圧力センサ１nによって、座部Ｓｐに人が座った時及び座部Ｓｐから人が離れた時が感知された場合にのみ、それぞれ着席情報及び空席情報を空席予測装置３へ無線により送信する。空席予測装置３では、図１５に示すように、座席状態検知部１２は、座席Ｓn毎に、例えば５秒毎等の所定の時間間隔で、第１通信部１１が各通信装置２nからの着席情報又は空席情報を受信しているか否かを判断する（Ｓ３１）。
【００６０】
座席状態検知部１２は、座席Ｓn毎に、着席情報又は空席情報が受信されていると判断すると（Ｓ３１でＹｅｓ）、着席情報又は空席情報に基づいて、着席状態であるのか又は空席状態であるのかを検知する（Ｓ３２）。座席状態検知部１２によって着席状態であることが検知された座席Ｓnについては（Ｓ３２でＹｅｓ）、状態変化時特定部１３は、第１通信部１１によって着席情報が受信された時が着席状態の開始時（着席時）であると特定する（Ｓ３３）。空席時予測部１９は、その開始時（着席時）に基準時間記憶部１７に記憶されている基準時間を加算して、着席状態から空席状態に変化する時（着席状態の終了時，離席時）を予測する（Ｓ３４）。そして、着席時間計測部１４は、状態変化時特定部１３によって特定された着席状態の開始時（着席時）から着席状態が継続する時間（経過時間）を計測し始め（Ｓ３５）、書き込み部１６はその開始時（着席時）及び経過時間を計測結果記憶部１５の所定の格納場所に書き込む（Ｓ３６）。また、空席到達時間特定部２０は、各現時点から空席時予測部１９によって予測された時までの時間を特定する（Ｓ３７）。それに対して、座席状態検知部１２によって空席状態であることが検知された座席Ｓnについては（Ｓ３２でＮｏ）、状態変化時特定部１３は、第１通信部１１によって空席情報が受信された時が着席状態の終了時（離席時）であると特定し、着席時間計測部１４は、着席状態が継続する時間（経過時間）の計測を終了して、着席状態の開始時（着席時）から終了時（離席時）までの時間（在席時間）を特定する（Ｓ３８）。書き込み部１６は、終了時（離席時）及び在席時間を計測結果記憶部１５に書き込む（Ｓ３９）。そして、基準時間変更部１８は、計測結果記憶部１５に記憶されている在席時間の個数が所定の個数に達しているか否かを判断する（Ｓ４０）。在席時間の個数が所定の個数に達している場合（Ｓ４０でＹｅｓ）、基準時間変更部１８は、基準時間記憶部１７に記憶されている基準時間を、計測結果記憶部１５に記憶されている全部の在席時間の平均に変更する（Ｓ４１）。それに対して、在席時間の個数が所定の個数に達していない場合（Ｓ４０でＮｏ）、基準時間変更部１８は、基準時間記憶部１７に記憶されている基準時間を変更しない（Ｓ４２）。
【００６１】
他方、座席状態検知部１２は、座席Ｓn毎に、着席情報も空席情報も受信されていないと判断すると（Ｓ３１でＮｏ）、その時点より前に第１通信部１１によって着席情報又は空席情報のいずれが受信されていたのかを確認し、着席情報及び空席情報のいずれが継続しているのかを判断する（Ｓ４３）。具体的には、着席情報が受信されていた場合、座席状態検知部１２は着席状態が継続していると判断し（Ｓ４３でＹｅｓ）、着席時間計測部１４は着席状態が継続する時間（経過時間）を計測し続け（Ｓ３５）、書き込み部１６は、計測結果記憶部１５の経過時間を書き込むための格納場所に既に書き込まれている値を、着席時間計測部１４によって計測された経過時間に書き換える（Ｓ３６）。そして、空席到達時間特定部２０は、各現時点から空席時予測部１９によって予測された時までの時間を特定する（Ｓ３７）。それに対して、着席情報も空席情報も受信されていないと判断した時点より前に第１通信部１１によって空席情報が受信されていた場合、座席状態検知部１２は、空席状態が継続していると判断する（Ｓ４３でＮｏ）。
【００６２】
さて、上述したように空席到達時間特定部２０が各現時点から空席時予測部１９によって予測された時までの時間を特定した場合と（Ｓ３７）、座席状態検知部１２によって空席状態であることが検知された後（Ｓ４１、Ｓ４２）と、空席状態が継続していると座席状態検知部１２が判断した場合（Ｓ４３でＮｏ）、選択部２２は、時間色対応関係記憶部２１に記憶されている対応関係に基づいて、空席到達時間特定部２０によって特定された時間又は空席状態に対応する色を選択する（Ｓ４４）。具体的には、上記（表１）に基づいて、選択部２２は、空席到達時間特定部２０によって特定された時間が８分以上のときは赤色を、２分以上でかつ８分を下回るときは黄色を、２分を下回るときは青色を、空席状態のときは無色を、選択する（Ｓ４４）。
【００６３】
そして、第２通信部２３は、座席Ｓn毎の選択部２２によって選択された色の情報を空席到達時間特定部２０によって特定された時間の情報として表示装置４及びコンピュータ５に送信する（Ｓ４５）。座席Ｓn毎の選択部２２によって選択された色の情報（空席到達時間特定部２０によって特定された時間の情報）が表示装置４及びコンピュータ５へ送信された後は、上述したようにして（図８のＳ１９参照）、表示装置４及び表示部６は、図７に示すように、各座席Ｓnの使用状況を表示する（Ｓ４６）。
【００６４】
ところで、着席時間計測部１４によって着席状態が継続する時間（経過時間）が計測されると（Ｓ３５）、警告判断部２５は、座席Ｓn毎に、経過時間が警告時間記憶部２４に記憶されている警告判断時間に達しているか否かを判断する（Ｓ４７）。経過時間が警告判断時間に達している場合（Ｓ４７でＹｅｓ）、第２通信部２３は警告情報を対応する通信装置２nへ無線により送信する。通信装置２nは対応する警告部８nへ警告情報を無線により送信し、警告部８nは警告情報を受信した後、その警告情報に基づいて対応する座席Ｓn側に警告音を発する（Ｓ４８）。他方、経過時間が警告判断時間に達していない場合（Ｓ４７でＮｏ）、第２通信部２３は警告情報を送信することはなく、警告部８nから警告音が発せられることはない（Ｓ４９）。
【００６５】
上述したように、実施の形態２の座席使用状況報知システムでは、各通信装置２nは、対応する圧力センサ１nによって座部Ｓｐに人が座った時（着席時）及び座部Ｓｐから人が離れた時（離席時）が感知された場合にのみ、それぞれ着席情報及び空席情報を空席予測装置３へ無線により送信する。このように、実施の形態２の座席使用状況報知システムでは、各通信装置２nから空席予測装置３への情報通信回数を減少させることができる。この場合も、空席予測装置３は着席情報又は空席情報に基づいて各座席Ｓnが空席状態となるまでの時間を予測し、表示装置４及び表示部６は空席予測装置３によって予測された内容を表示する。そのため、座席Ｓnを使用しようとする各社員は、社員食堂Ｒに行かずに、表示装置４又は表示部６によって表示される各座席Ｓnの使用状況を見ていさえすれば各座席Ｓnが空席状態となるまでの時間を知ることができ、限られた昼食時間を有効に活用することができる。
【００６６】
なお、上述した各実施の形態において、基準時間変更部１８は、基準時間を、その基準時間の変更に用いる全部の在席時間の平均に変更するのではなく、変更に用いる全部の在席時間のうちの最新の１００個等の所定の個数の平均に変更してもよい。
また、上述した各実施の形態では、着席時間計測部１４によって着席状態が継続する時間（経過時間）が警告時間記憶部２４に記憶されている警告判断時間に達している場合、警告部８nから警告音が発せられるが、空席状態の各座席Ｓnの数が所定の個数以上のときは、警告が発せなれないようにしてもよい。
【００６７】
また、各警告部８nは、各座席Ｓnと対向する各テーブルＴmの側面の各部位に設けられているが、各警告部８nは、対応する各座席Ｓnの座部Ｓｐ、脚Ｓｌ、及び又は背もたれ部Ｓｂのいずれかに設けられていて、座席Ｓnの少なくとも一部を振動させることにより警告を発してもよい。要するに、警告部８nは、警告情報に基づいて警告を発しさえすればよい。
【００６８】
また、表示装置４及び表示部６は、複数の色を用いて各座席Ｓnの使用状況を表示するのではなく、各座席Ｓnを空席状態に変化するまでの時間の長さに応じた点滅間隔で点灯させることにより、各座席Ｓnの使用状況を表示してもよく、表示装置４及び表示部６による各座席Ｓnの使用状況の報知方法は限定されない。また、各座席Ｓnの使用状況は音により報知されてもよい。
【００６９】
また、各座席Ｓnの座部Ｓｐに人が座ったことを検知する検知部は圧力センサ１に限定されるのではなく、光センサ等により、座部Ｓｐに人が座ったことを検知させてもよい。
また、上述した実施の形態では、説明の便宜上、座席使用状況報知システムは、所定の領域としての社員食堂Ｒにおける各座席Ｓnの使用状況を報知するが、所定の領域は社員食堂Ｒに限られるものではなく、喫茶コーナー、共用休憩所、共用会議室等であってもよい。そして、座席使用状況報知システムは、社員食堂Ｒ、喫茶コーナー、共用休憩所、及び共用会議室等の全部又は一部における各座席Ｓnの使用状況を、領域毎に報知してもよい。
【産業上の利用可能性】
【００７０】
本発明にかかる座席使用状況報知システムは、複数の座席が配置されている所定の領域における各座席が空席状態となるまでの時間を、各座席を使用しようとする人を上記領域に行かせることなく予測してその人に報知することができるという効果を有し、社員食堂等の所定の領域における座席の使用状況を報知する座席使用状況報知システム等として有用である。
【図面の簡単な説明】
【００７１】
【図１】実施の形態における社員食堂Ｒの平面図である。
【図２】実施の形態における座席Ｓの外観図である。
【図３】実施の形態の座席使用状況報知システムのハードウェア構成図である。
【図４】実施の形態の座席使用状況報知システムのブロック構成図である。
【図５】実施の形態１おいて、空席予測装置３の書き込み部１６によって計測結果記憶部１５に書き込まれる情報の一例を示す図である。
【図６】特定の日における正午から特定の時刻までの各座席Ｓnの使用状況を示す図である。
【図７】表示装置４及び表示部６において表示される社員食堂Ｒの各座席Ｓnの使用状況の一例を示す図である。
【図８】実施の形態１の座席使用状況報知システムの動作の流れを示すフローチャートである。
【図９】各座席Ｓnに座る人の性別を識別するための性別識別部の構成図である。
【図１０】座席Ｓ1に男性が座り、座席Ｓ2に女性が座った状態を示す図である。
【図１１】表示装置４及び表示部６において表示される社員食堂Ｒの座席Ｓ1及び座席Ｓ2の使用状況の一例を示す図である。
【図１２】空席予測装置３の書き込み部１６によって計測結果記憶部１５に書き込まれる情報の一例を示す図である。
【図１３】座席Ｓnに座る人が選択した食品の内容を検出するための内容検出部の構成図である。
【図１４】重量検出装置１００の構成図である。
【図１５】実施の形態２の座席使用状況報知システムの動作の流れを示すフローチャートである。
【符号の説明】
【００７２】
１  圧力センサ
２  通信装置
３  空席予測装置
４  表示装置
５  コンピュータ
６  表示部
７  ネットワーク
８  警告部
１１  第１通信部
１２  座席状態検知部
１３  状態変化時特定部
１４  着席時間計測部
１５  計測結果記憶部
１６  書き込み部
１７  基準時間記憶部
１８  基準時間変更部
１９  空席時予測部
２０  空席到達時間特定部
２１  時間色対応関係記憶部
２２  選択部
２３  第２通信部
２４  警告時間記憶部
２５  警告判断部
４１  第１受信部
４２  第１食堂図記憶部
４３  第１対応部
４４  表示部
５１  第２受信部
５２  第２食堂図記憶部
５３  第２対応部
５４  送信部
【図１】
2005202522.tif 000004
【図２】
2005202522.tif 000005
【図３】
2005202522.tif 000006
【図４】
2005202522.tif 000007
【図５】
2005202522.tif 000008
【図６】
2005202522.tif 000009
【図７】
2005202522.tif 000010
【図８】
2005202522.tif 000011
【図９】
2005202522.tif 000012
【図１０】
2005202522.tif 000013
【図１１】
2005202522.tif 000014
【図１２】
2005202522.tif 000015
【図１３】
2005202522.tif 000016
【図１４】
2005202522.tif 000017
【図１５】
2005202522.tif 000018